【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
ユーザのカレンダアプリケーションプログラムの使用に関連するターゲット広告の方法であって、
（ａ）第１ディスプレイ領域および第２ディスプレイ領域を有するカレンダユーザインターフェースを、ディスプレイ装置に提供するステップと、
（ｂ）カレンダユーザインターフェースの第１ディスプレイ領域に、ユーザのカレンダの一部を出力するステップと、
（ｃ）ターゲティング基準とユーザのプロファイル情報との間の相関を有し、各々がカレンダに配置可能なイベントに対応する、複数の広告を取得するステップと、
（ｄ）各々が、対応する前記イベントをユーザのカレンダに追加する操作可能な制御を含む前記複数の広告を、カレンダユーザインターフェースの第２ディスプレイ領域に表示するステップと、
を含む方法。
【請求項２】
請求項１記載の方法であって、さらに、
（ｆ）前記ステップ（ｃ）で取得した広告に対応するイベントを、第１ディスプレイ領域に追加するための操作可能な制御の選択により、指示を受け取るステップ
を含む方法。
【請求項３】
請求項２記載の方法であって、さらに、
前記ステップ（ｆ）のイベントを追加する指示の受け取ったときに、広告に対応するイベントを第１ディスプレイ領域に追加するステップ
を含む方法。
【請求項４】
請求項３記載の方法であって、さらに、
広告主によってサポートされたコンピューティング装置に定期的かつ自動的に接続して、前記イベントに関連する情報に変更があるか否かを決定し、第１ディスプレイ領域に追加された前記イベントを自動的に修正するステップ
を含む方法。
【請求項５】
請求項３記載の方法であって、さらに、
広告主によってサポートされたコンピューティング装置から、前記イベントの変更に関する新しい情報および通知を自動的に受け取って、第１ディスプレイ領域に追加された前記イベントを自動的に修正するステップ
を含む方法。
【請求項６】
ターゲティング基準とユーザのプロファイル情報との間の相関を有する複数の広告を取得する前記ステップ（ｃ）は、ユーザが所定の地理的エリアの範囲内、または広告主の事業所からの所定の地理的距離の範囲内に住所を有することを示す格納アドレス情報を有するユーザに基づいて、広告を取得するステップを含む、請求項１に記載の方法。
【請求項７】
ターゲティング基準とユーザのプロファイル情報との間の相関を有する複数の広告を取得する前記ステップ（ｃ）は、ユーザが、ｉ）前記ターゲティング基準で示される性別であること、ｉｉ）前記ターゲティング基準で示される年齢グループの範囲に属すること、ｉｉｉ）前記ターゲティング基準で示される宗教を信仰すること、ｉｖ）前記ターゲティング基準で示される国籍であること、および、ｖ）前記ターゲティング基準で示される関心または好みのをもつこと、うちの少なくとも１つであること、を示す格納情報を有するユーザに基づいて、広告を取得するステップを含む、請求項１に記載の方法。
【請求項８】
複数のユーザによるカレンダアプリケーションプログラムの使用に関連するターゲット広告の方法を実行するようにプロセッサをプログラミングするコンピュータ実行可能な命令を含むコンピュータ可読媒体であって、前記方法が、
（ａ）広告コンテンツおよびターゲットデータを含むデータを受け取るステップと、
（ｂ）前記ステップ（ａ）で受け取った前記ターゲットデータと、前記複数のユーザのうちの１人または複数のユーザに関連する格納データとに基づいて、前記広告コンテンツを含む広告を受け取る前記１人または複数のユーザを選択するステップと、
（ｃ）前記ステップ（ｂ）で選択した１人または複数のユーザ用のディスプレイにより、第１ディスプレイ領域に前記広告コンテンツを、第２ディスプレイ領域にカレンダインターフェースを、表示するステップであって、第１ディスプレイ領域に表示された広告コンテンツが、情報を前記広告コンテンツに関連して前記カレンダインターフェースに追加するためのグラフィカルオブジェクトを含む、ステップと、
（ｄ）ユーザインターフェースを介して、前記１人または複数のユーザのうちのユーザから、前記広告に関する前記情報を前記ユーザの格納カレンダイベントのデータベースに追加するための、ディスプレイ上のグラフィカルオブジェクトの選択を受け取るステップと、
（ｅ）前記ステップ（ｄ）のグラフィカルオブジェクトの選択を受け取ったときに、前記ユーザに関する格納カレンダイベントの前記データベースに前記広告に関する前記情報を追加するステップと、
を含む、コンピュータ可読媒体。
【請求項９】
前記ステップ（ｅ）が、前記カレンダアプリケーションプログラムをサポートするサービスプロバイダシステム内に維持されるデータベース上に、前記広告に関する前記情報を格納するステップ
を含む、請求項８に記載のコンピュータ可読媒体。
【請求項１０】
前記ステップ（ｅ）が、前記ユーザのコンピューティング装置内に維持されるデータベース上に、前記広告に関する前記情報を格納するステップを含む請求項８に記載のコンピュータ可読媒体。
【請求項１１】
請求項８に記載のコンピュータ可読媒体であって、前記方法がさらに、
（ｆ）前記ステップ（ｅ）で前記広告に関する前記情報が前記ユーザに関する格納カレンダイベントの前記データベースに追加された後に、前記広告に関するリマインダをユーザに通知するステップ
を含むコンピュータ可読媒体。
【請求項１２】
広告コンテンツおよびターゲットデータを含むデータを受け取る前記ステップ（ａ）が、ユーザインターフェース、ならびに広告主とサービスプロバイダシステムとの間のネットワーク接続を介して、広告主から前記カレンダアプリケーションプログラムをサポートするサービスプロバイダシステム内のデータを受け取るステップ
を含む請求項８に記載のコンピュータ可読媒体。
【請求項１３】
前記ステップ（ｃ）で前記カレンダインターフェイスに追加される情報が、近づいている一時的イベントに関連する、請求項８に記載のコンピュータ可読媒体。
【請求項１４】
前記ターゲットデータと、前記１人または複数のユーザに関連する格納データとに基づいて前記広告を受け取る前記１人または複数のユーザを選択する前記ステップ（ｂ）が、
（ｂ１）ユーザに関する格納ユーザ情報の１つまたは複数のデータベースを探索するステップと、
（ｂ２）前記ターゲティングデータに相関するユーザ情報を見つけるステップと、
（ｂ３）相関がユーザ情報とターゲティングデータの間で見つかった場合に、前記広告を受け取るユーザを選択するステップと、
を含む請求項８に記載のコンピュータ可読媒体。
【請求項１５】
前記ターゲットデータと、前記１人または複数のユーザに関連する格納データとに基づいて前記広告を受け取る前記１人または複数のユーザを選択する前記ステップ（ｂ）が、前記ユーザが所定の地理的エリアの範囲内、または広告主の事業所からの所定の地理的距離の範囲内にいることを示す格納住所情報を有する１人または複数のユーザを選択するステップ
を含む請求項８に記載のコンピュータ可読媒体。
【請求項１６】
前記ターゲットデータと、前記１人または複数のユーザに関連する格納データとに基づいて前記広告を受け取る前記１人または複数のユーザを選択する前記ステップ（ｂ）が、前記ユーザが、ｉ）前記ターゲティング基準で示される性別であること、ｉｉ）前記ターゲティング基準で示される年齢グループの範囲に属すること、ｉｉｉ）前記ターゲティング基準で示される宗教を信仰していること、ｉｖ）前記ターゲティング基準で示される国籍であること、および、ｖ）前記ターゲティング基準で示される関心または好みをもつこと、のうちの少なくとも１つであること、を示す格納情報を有する１人または複数のユーザを選択するステップ
を含む請求項８に記載のコンピュータ可読媒体。
【請求項１７】
複数のユーザによるカレンダアプリケーションプログラムの使用に関連するターゲット広告の方法を実行するための、プロセッサをプログラミンするコンピュータ実行可能な命令を含むコンピュータ可読媒体であって、前記方法が、
（ａ）第１領域および第２領域を有するカレンダユーザインターフェースを、１人または複数のユーザが利用するために、１つまたは複数のディスプレイを介して、提供するステップと、
（ｂ）第１領域に、１つまたは複数のユーザのカレンダの一部を出力するステップと、
（ｃ）カレンダユーザインターフェイズ上に配置可能な一時的イベントを含む広告コンテンツを含むデータを受け取るステップと、
（ｄ）対応する前記一時的イベントをカレンダユーザインターフェイスに追加する操作可能な制御を含む前記広告コンテンツを、１つまたは複数のディスプレイを介して、第２領域に表示するステップと、
（ｅ）ユーザによる前記操作可能な制御の選択を受け取るステップと、
（ｆ）前記ステップ（ｅ）で選択された操作可能な制御に関連する広告コンテンツを、カレンダユーザインターフェイスに追加するステップと、
を含む、コンピュータ可読媒体。
【請求項１８】
前記ステップ（ａ）および（ｂ）が、ユーザインターフェースならびに前記広告主とサービスプロバイダシステムの間のネットワーク接続を介して、広告主からカレンダアプリケーションプログラムをサポートするサービスプロバイダシステム内のデータを受け取るステップ
を含む請求項１７に記載のコンピュータ可読媒体。
【請求項１９】
請求項１７に記載のコンピュータ可読媒体であって、前記方法がさらに、
（ｇ）広告主によってサポートされたコンピューティング装置から、前記広告コンテンツの変更に関する新しい情報および通知を自動的に受け取るステップと、
（ｈ）１つまたは複数のディスプレイを介して、共有カレンダインターフェース上に表示された前記広告コンテンツを、自動的に更新するステップと
を含む、コンピュータ可読媒体。